(57)【要約】【課題】ＰｏＣサービスが適用される通信システムで用いられるものでありながら表示情報の伝送も可能であり、さらに、操作の複雑化や通信負担の増大を極力回避し得る通信端末を提供する。【解決手段】ＰｏＣサービスが適用された通信システムで用いられるものであり、所定操作を通じて発言権を取得して、他機への音声情報の送信を半二重通信によって行う通信端末であって、ユーザの入力に応じた表示を他機に行わせる表示情報を生成する表示情報生成部と、該表示情報が生成された場合、前記所定操作によって、該表示情報を半二重通信によって前記他機に送信する表示情報送信部と、を備えた通信端末とする。【選択図】図２
2008205571.tif 000002
【特許請求の範囲】
【請求項１】
ＰｏＣサービスが適用された通信システムで用いられるものであり、所定操作を通じて発言権を取得して、他機への音声情報の送信を半二重通信によって行う通信端末であって、
ユーザの入力に応じた表示を他機に行わせる表示情報を生成する表示情報生成部と、
該表示情報が生成された場合、前記所定操作によって、該表示情報を半二重通信によって前記他機に送信する表示情報送信部と、
を備えたことを特徴とする通信端末。
【請求項２】
前記表示情報生成部は、
所定の放送番組を特定する情報の入力を、ユーザに促すことを特徴とする請求項１に記載の通信端末。
【請求項３】
前記放送番組を特定する情報は、
該放送番組の番組名及び／または該放送番組のチャンネルを示す情報であることを特徴とする請求項２に記載の通信端末。
【請求項４】
前記他機から送信されてきた表示情報を受信する表示情報受信部と、
該表示情報に基づいた表示を行う表示部と、を備えたことを特徴とする請求項１から請求項３の何れかに記載の通信端末。
【請求項５】
請求項１から請求項４の何れかに記載の通信端末を複数有し、
該通信端末の各々は、互いに前記表示情報の送受信が可能であることを特徴とする通信システム。
【請求項６】
複数の通信端末間でのパケット通信を用いた半二重通話を可能とする、ＰｏＣサービスが適用された通信システムであって、
該通信端末は互いに、放送番組に関する表示情報の送受信が可能であることを特徴とする通信システム。
【発明の詳細な説明】
【技術分野】
【０００１】
本発明は、他機との通信を行う通信端末およびこれを用いた通信システムに関するものであり、特に、ＰｏＣサービスが適用されるものに関する。
【背景技術】
【０００２】
近年、携帯電話等の分野においては、ＰｏＣ［Push-to-Talk over Cellular］サービスに関する研究・開発が進んでいる。このＰｏＣサービスは、周知の通り、複数の通信端末において互いにＰＴＴ［Push-to-Talk］による通話を実現するものである。
【０００３】
より具体的には、例えばトランシーバのように、互いの通信端末においてボタンを押下することにより発言権を取得し、半二重通信によって音声情報を相手側に伝送するものである。このようなＰｏＣサービスによれば、１対１の通話だけでなく、より多数の者同士でのコミュニケーションも比較的容易となる等、種々の利点を享受することができる。
【特許文献１】特開２００６−１３５５００号公報
【特許文献２】特開２００６−１３５５１１号公報
【特許文献３】特表２００５−５３６１４６号公報
【特許文献４】特開２００６−１３５４９９号公報
【特許文献５】特開２００６−２８７９４０号公報
【発明の開示】
【発明が解決しようとする課題】
【０００４】
上述したＰｏＣサービスの適用された通信システムにおいては、該サービスによる音声情報の伝送だけでなく、表示情報（他機のディスプレイに所定内容の表示をさせる情報）も伝送できる方が好ましい場合が考えられる。特にテレビ放送やラジオ放送によって放送される番組の情報（例えば、「○○チャンネルの△△という番組は、面白そうだから見て」といった情報）を伝送する場合には、表示情報の伝送が好ましい場合が多いと考えられる。
【０００５】
このようにすることで、例えば番組名の誤読を防止することや、話の中での引用（例えば番組名を予め表示させておき、「『この』番組は、面白そうだから見て」というように話す）等を容易にすることが可能となる。その結果、音声情報の伝送だけの場合に比べて、通信の円滑化等を図ることが可能となる。
【０００６】
なお一方で、表示情報の伝送も可能な通信システムとする場合であっても、表示情報の伝送のために通信端末における操作がより複雑になることは、極力回避されることが望ましい。また表示情報の伝送のために音声情報の伝送とは異なる通信方式を採用することなどにより、通信負担が増大することも、極力回避されることが望ましい。
【０００７】
そこで本発明は上記の事情に鑑み、ＰｏＣサービスが適用される通信システムで用いられるものでありながら表示情報の伝送も可能であり、さらに、操作の複雑化や通信負担の増大を極力回避し得る通信端末の提供を目的とする。また表示情報として、放送番組に関する情報の伝送を容易とする通信端末の提供を目的とする。
【課題を解決するための手段】
【０００８】
上記目的を達成するため、本発明に係る通信端末は、ＰｏＣサービスが適用された通信システムで用いられるものであり、所定操作を通じて発言権を取得して、他機への音声情報の送信を半二重通信によって行う通信端末であって、ユーザの入力に応じた表示を他機に行わせる表示情報を生成する表示情報生成部と、該表示情報が生成された場合、前記所定操作によって、該表示情報を半二重通信によって前記他機に送信する表示情報送信部と、を備えた構成（第１の構成）とする。
【０００９】
本構成によれば、ＰｏＣサービスが適用される通信システムで用いられるものでありながら、表示情報の送信も可能となる。そのため、例えば放送番組に関する情報を、通信相手に視覚的に伝えることも可能となり、通信システムの利便性を向上させることができる。
【００１０】
また表示情報を送信するにあたっては、表示情報を入力した後、ＰＴＴでの発言権を取得するための操作（通常、ボタンの押下操作であることが多い）と同様の操作を実行するだけで良いものとなる。そのため、本構成とすることによる操作の複雑化を回避できる。また表示情報は音声情報と同様の半二重通信によって送信されるから、通信方式などを共通とすることができ、ひいては通信負担の増大を極力回避することが可能となる。
【００１１】
また上記第１の構成において、前記表示情報生成部は、所定の放送番組を特定する情報の入力を、ユーザに促す構成（第２の構成）としてもよい。また当該第２の構成についてより具体的には、前記放送番組を特定する情報は、該放送番組の番組名及び／または該放送番組のチャンネルを示す情報である構成（第３の構成）としてもよい。
【００１２】
テレビ放送やラジオ放送の汎用化・多様化により、放送番組に関する情報（例えば、これから放送される番組の内容や、番組内容を視聴した時の感想など）を交換したいといったニーズは非常に高いと考えられる。本構成によれば、放送番組を特定する表示情報を容易に入力し、他機に送信することが可能となるから、放送番組に関する情報の伝達をよりスムーズに行うことができる。
【００１３】
また上記第１から第３の何れかの構成において、前記他機から送信されてきた表示情報を受信する表示情報受信部と、該表示情報に基づいた表示を行う表示部と、を備えた構成（第４の構成）としてもよい。本構成によれば、通信相手からの表示情報（自機に所定内用の表示を行わせる情報）に係る表示内容を確認することが可能となり、円滑なコミュニケーションを実現することができる。
【００１４】
また上記第１から第３の何れかの構成に係る通信端末を複数有し、該通信端末の各々は、互いに前記表示情報の送受信が可能である構成（第５の構成）の通信システムも有用である。本構成により、音声情報だけでなく表示情報の伝送も可能なＰｏＣサービスを実現することができる。
【００１５】
また複数の通信端末間でのパケット通信を用いた半二重通話を可能とする、ＰｏＣサービスが適用された通信システムであって、該通信端末は互いに、放送番組に関する表示情報の送受信が可能である構成（第６の構成）の通信システムであれば、放送番組に関する情報を視覚的に伝えることができ、円滑なコミュニケーションを実現することができる。なおここでの表示情報とは、他機に所定内容の表示を行わせる情報のことである。
【発明の効果】
【００１６】
上述の通り本発明に係る通信端末によれば、ＰｏＣサービスが適用される通信システムで用いられるものでありながら、表示情報の送信も可能となる。そのため、例えば放送番組に関する情報を、通信相手に視覚的に伝えることも可能となり、通信システムの利便性を向上させることができる。
【００１７】
また表示情報を送信するにあたっては、表示情報を入力した後、ＰＴＴでの発言権を取得するための操作（通常、ボタンの押下操作であることが多い）と同様の操作を実行するだけで良いものとなる。そのため、本構成とすることによる操作の複雑化を回避できる。また表示情報は音声情報と同様の半二重通信によって送信されるから、通信方式などを共通とすることができ、ひいては通信負担の増大を極力回避することが可能となる。
【発明を実施するための最良の形態】
【００１８】
本発明の実施形態として、ＰｏＣサービスの適用された、複数の携帯電話機による通信システムを挙げて以下に説明する。なお携帯電話機は通信端末の一例であり、他のものであっても良い。
【００１９】
まず当該通信システムで用いられる携帯電話機の構成について、図１を参照しながら説明する。本図に示すように当該携帯電話機１は、通信部１１、放送情報入力部１２、通話用ボタン１３、受話部１４、送話部１５、記憶部１６、表示部１７、および制御部１８などを備えている。
【００２０】
通信部１１は、アンテナ等を備えており、ＰｏＣサーバ（通信サーバ）との無線通信を可能とする。これにより携帯電話機１は、他機との間で、音声情報や表示情報の送受信を行うことが可能となっている。
【００２１】
放送情報入力部１２は、例えば押しボタンスイッチや操作レバーなどを備えており、ユーザによる放送に関するコメント（放送情報）の入力を可能としている。なお放送情報のより具体的な内容については、改めて説明する。また放送情報が入力されたときには、この放送情報に応じた表示を他機に行わせるための情報（表示情報）が自動的に生成され、記憶部１６に格納される（送信可能な状態に準備される）ものとする。
【００２２】
通話用ボタン１３は、押しボタンスイッチとして構成されており、ユーザによって、押下状態／非押下状態が自在に切替えられるようになっている。この通話用ボタン１３の状態は、後述するように、ＰＴＴによる通話や表示情報の送信に関する制御に用いられる。
【００２３】
受話部１４は、スピーカ装置等を有しており、取得された音声情報（電気信号）を音声（空気振動）に変換する。また送話部１５は、マイク装置等を有しており、音声を音声情報に変換する。
【００２４】
記憶部１６は、汎用のメモリやＳＩＰのメッセージボディ等により構成され、他の携帯電話機から送信されてきた表示情報など、種々の情報の記憶に用いられる。また表示部１７は、ＬＣＤ等のディスプレイ装置を有しており、種々の表示を行う。表示内容については、改めて説明する。
【００２５】
制御部１８は、携帯電話機１における各種処理を制御するものであり、機器内の全体的な処理を制御する主制御部、パケット通信に関する制御を行う通信制御部、およびＳＩＰ［Session Initiation Protocol］制御やＰＴＴにおける発言権の要求・確保に関する制御を行うＳＩＰ制御部から構成されている。
【００２６】
以上に説明した構成により、携帯電話機１は、ＰｏＣサービスによる他の携帯電話機との通話に加え、表示情報の送受信を行うことが可能となっている。なお音声情報および表示情報の送受信は、共に所定のＰｏＣサーバを介した、パケット通信による半二重通信により実現される。
【００２７】
次に通信システムにおける、携帯電話機１による他機（通信先の携帯電話機）との通信に関する処理について、図２を参照しながら説明する。
【００２８】
携帯電話機１では、他機との通信を実行する状態にあるか否か、すなわち１個または複数個の他機が特定され、これら他機との間で情報の伝送路が確立された状態となっているか否かを監視している（ステップＳ１１）。そして通信を実行する状態にある場合は、通信における発言権を取得しているか否かを判断する（ステップＳ１２）。なお発言権の取得は、通話用ボタン１３の押下を通じてなされる。
【００２９】
発言権が取得されていない場合は（ステップＳ１２のＮ）、携帯電話機１から他機への情報伝送を行うことはできないが、他機から送信されてくる音声情報や表示情報などを受信する（ステップＳ１３）。なお音声情報を受信したときは、受話部１４を通じて音声を出力し、表示情報を受信したときは、これを記憶部１６に記憶させるとともに表示部１７にその内容を表示させる。
【００３０】
一方、発言権が取得されている場合は（ステップＳ１２のＹ）、他機への音声情報や表示情報の送信が可能となる。そこでまず、少なくとも一つの表示情報が準備されているか否かを判断する（ステップＳ１４）。なお先述の通り、表示情報は、ユーザによって放送情報が入力された場合に、自動的に準備されるものである。
【００３１】
その結果、表示情報が準備されていない場合は（ステップＳ１４のＮ）、送話部１５により取得された音声情報の一定量（例えば所定数のパケット）を他機に送信する（ステップＳ１５）。また一方、表示情報が準備されている場合は（ステップＳ１４のＹ）、その表示情報を他機に送信する（ステップＳ１６）。
【００３２】
なおステップＳ１３、Ｓ１５、またはＳ１６の処理の後は、他機との通信が継続していれば（ステップＳ１７のＮ）、ステップＳ１２の処理に戻り、通信が終了していれば（ステップＳ１７のＹ）、ステップＳ１１の処理に戻る。
【００３３】
以上に説明した一連の処理により、ＰＴＴによる通話を実現することが可能である。また予め表示情報が作成され準備されている場合には、発言権を取得することにより（操作としては、通話用ボタン１３を押下することにより）この表示情報を送信することができる。
【００３４】
このように表示情報を送信することが可能であることにより、放送情報を他機に表示させることができ、通信システムの利便性が向上されたものとなっている。また表示情報を送信するにあたって、ユーザは通話用ボタン１３を押下するだけで良いため、音声情報のみを送信する通信端末に比べて操作が複雑化したり、より多くのボタンスイッチが必要となったりすることを回避することが可能となっている。
【００３５】
次に、先述した表示情報の生成に関する処理について、図３を参照しながら説明する。
【００３６】
携帯電話機１は、放送情報の入力を開始させるタイミングを監視している（ステップＳ２１）。このタイミングは、例えば不図示のボタンスイッチが押下されることによって与えられる。
【００３７】
放送情報入力のタイミングが到来したら、制御部１８は、予めインストールされている放送情報入力用のアプリケーションソフトを起動させる。そして当該アプリケーションソフトに従い、以下に説明する手順により放送情報を取得する。
【００３８】
まず表示部１７に図４（ａ）に示すような表示を行わせ、ユーザに番組名の入力を要求（催促）する（ステップＳ２２）。なおここでの「番組名」は、テレビ放送やラジオ放送等の種類を問わず、ある放送番組を特定する文字情報のことであり、特に番組名（番組のタイトル）であることが望ましい。なお文字の代わりに、記号や画像などを入力できるようにしても良い。
【００３９】
そして番組名の入力が完了したら（ステップＳ２３のＹ）、次に、表示部１７に図４（ｂ）に示すような表示を行わせ、ユーザに番組のチャンネルの入力を要求する（ステップＳ２４）。なおここでの「番組のチャンネル」は、先の処理で特定された放送番組に係るチャンネル（放送波の周波数帯域）を特定する文字情報のことである。なお文字の代わりに、記号や画像などを入力できるようにしても良い。
【００４０】
そして番組のチャンネルの入力が完了したら（ステップＳ２５のＹ）、次に、表示部１７に図４（ｃ）に示すような表示を行わせ、ユーザにコメントの入力を要求する（ステップＳ２６）。このコメントは、先の処理で特定された番組に関するコメント（文字情報）である。なお文字の代わりに、記号や画像などを入力できるようにしても良い。
【００４１】
そしてコメントの入力まで完了したら（ステップＳ２７のＹ）、以上までに入力された放送情報に基づいて表示情報（例えば図５に示すような形式のもの）を生成し、記憶部１６に記憶させる（ステップＳ２８）。このように記憶された段階で、表示情報が準備されたこととなる。なおかかる表示情報が送信された場合、他機においては図６に示すような表示がなされることとなる。
【００４２】
以上までに説明した各処理がなされることによって、ユーザは携帯電話機１を用いて、他機とのＰＴＴによる通話（ステップＳ１３およびＳ１５）を行うことができる。そして表示情報を送信したい場合には、随時放送情報を入力し（ステップＳ２１〜Ｓ２８）、その後、発言権を取得する（通話用ボタン１３を押下する）ことでこの送信が実現される（ステップＳ１７）。
【００４３】
その結果、放送番組に関する情報を、通信相手に視覚的に伝えることも可能となり、通信システムの利便性を向上させることが可能となっている。なお多人数との間で通信を行っている場合にも、一度の送信のみで、全ての通信端末に表示情報を提供することが可能である。
【００４４】
また表示情報を送信するにあたっては、放送情報を入力した後、ＰＴＴでの発言権を取得するための操作と同様である、通話用ボタン１３の押下を実行するだけで良い。そのため、表示情報をも送信可能とすることに伴う操作の複雑化が回避されている。また表示情報は音声情報と同様の半二重通信によって送信されるから、通信方式などを共通とすることができるようになっており、ひいては通信負担の増大を極力回避することが可能となっている。
【００４５】
以上、本発明の実施形態について説明したが、本発明はこの内容に限定されるものではなく、本発明の主旨を逸脱しない範囲において、種々の改変を加えることが可能である。また本実施形態では、表示情報に係る表示の内容として放送情報を挙げたが、これに代えて、他の内容に係る情報を採用してもよい。
【産業上の利用可能性】
【００４６】
本発明は、ＰｏＣサービスを適用する通信システム等の分野において利用可能である。
【図面の簡単な説明】
【００４７】
【図１】本発明の実施形態に係る携帯電話機の構成図である。
【図２】本発明の実施形態における通信処理に関する流れ図である。
【図３】本発明の実施形態における表示情報の生成に関する流れ図である。
【図４】放送情報の入力処理を説明するための説明図である。
【図５】放送情報のフォーマットの一例を示す説明図である。
【図６】放送情報に基づいた表示状態の一例を示す説明図である。
【符号の説明】
【００４８】
１    携帯電話機（通信端末）
１１    通信部
１２    放送情報入力部
１３    通話用ボタン
１４    受話部
１５    送話部
１６    記憶部
１７    表示部
１８    制御部
【図１】
2008205571.tif 000003
【図２】
2008205571.tif 000004
【図３】
2008205571.tif 000005
【図４】
2008205571.tif 000006
【図５】
2008205571.tif 000007
【図６】
2008205571.tif 000008